(57)【要約】【課題】従来の放送受信装置は、データダウンロード予約と番組予約が重複した場合は、データダウンロードを行なうことはできなかった。【解決手段】この発明の放送受信装置は、放送からダウンロードデータを取得する放送受信装置において、データダウンロード予約と番組予約が重複した場合は、データダウンロード予約を番組予約との重複を避けた放送を受信して取得するように再予約するようにしている。【選択図】  図１
2004187030.tif 000002
【特許請求の範囲】
【請求項１】
放送を受信し、受信された放送からダウンロードデータを取得する放送受信装置において、
所定の放送番組の受信が予約設定される番組予約手段と、
所定のダウンロードデータを取得するための放送受信が予約設定されるデータダウンロード予約手段と、
前記番組予約手段で設定された番組予約と前記データダウンロード予約手段で設定されたデータダウンロード予約の重複を検出する重複予約検出手段と、
前記重複予約検出手段で番組予約とデータダウンロード予約の重複が検出された場合は前記設定されたデータダウンロード予約を前記番組予約との重複を避けた放送を受信するように再設定して予約する再設定予約手段と、
前記番組予約手段および前記再設定予約手段で予約された放送を受信する放送受信手段と、
前記受信された放送からダウンロードデータを抽出するダウンロードデータ抽出手段とを備えることを特徴とする放送受信装置。
【請求項２】
放送を受信し、受信された放送からダウンロードデータを取得する放送受信装置において、
所定の放送番組の受信が予約設定される番組予約手段と、
所定のダウンロードデータを取得するための放送受信が予約設定されるデータダウンロード予約手段と、
前記番組予約手段で設定された番組予約と前記データダウンロード予約手段で設定されたデータダウンロード予約のトランスポートストリームの重複を検出する重複予約検出手段と、
前記重複予約検出手段で番組予約とデータダウンロード予約のトランスポートストリームの重複が検出された場合は前記設定されたデータダウンロード予約を前記番組予約とは異なる時刻に放送される放送を受信するように再設定して予約する再設定予約手段と、
前記番組予約手段および前記再設定予約手段で予約された放送を受信する放送受信手段と、
前記受信された放送からダウンロードデータを抽出するダウンロードデータ抽出手段とを備えることを特徴とする放送受信装置。
【請求項３】
デジタル放送を受信し、受信された放送からダウンロードデータを取得する放送受信装置において、
所定の放送番組の受信が予約設定される番組予約手段と、
所定のダウンロードデータを取得するための放送受信が予約設定されるデータダウンロード予約手段と、
前記番組予約手段で設定された番組予約と前記データダウンロード予約手段で設定されたデータダウンロード予約のトランスポートストリームの重複を検出する重複予約検出手段と、
前記重複予約検出手段で番組予約とデータダウンロード予約のトランスポートストリームの重複が検出された場合は前記設定されたデータダウンロード予約を前記番組予約とは異なるトランスポートストリームで送信される放送を受信するように再設定して予約する再設定予約手段と、
前記番組予約手段および前記再設定予約手段で予約された放送を受信する放送受信手段と、
前記受信された放送からダウンロードデータを抽出するダウンロードデータ抽出手段とを備えることを特徴とする放送受信装置。
【請求項４】
デジタル放送を受信し、受信された放送からダウンロードデータを取得する放送受信装置において、
所定の放送番組の受信が予約設定される番組予約手段と、
所定のダウンロードデータを取得するための放送受信が予約設定されるデータダウンロード予約手段と、
前記番組予約手段で設定された番組予約と前記データダウンロード予約手段で設定されたデータダウンロード予約のトランスポートストリームの重複を検出する重複予約検出手段と、
前記重複予約検出手段で番組予約とデータダウンロード予約のトランスポートストリームの重複が検出された場合は前記設定されたデータダウンロード予約を前記番組予約とは異なる放送形態で放送される放送を受信するように再設定して予約する再設定予約手段と、
前記番組予約手段および前記再設定予約手段で予約された放送を受信する放送受信手段と、
前記受信された放送からダウンロードデータを抽出するダウンロードデータ抽出手段とを備えることを特徴とする放送受信装置。
【請求項５】
前記重複予約検出手段で番組予約とデータダウンロード予約の重複が検出された場合は番組予約とデータダウンロード予約の重複を表示することを特徴とする請求項１乃至４に記載の放送受信装置。
【請求項６】
前記抽出されたダウンロードデータを保存するダウンロードデータ保存手段をさらに備えることを特徴とする請求項１乃至５に記載の放送受信装置。
【請求項７】
前記番組予約手段で受信が設定された番組を受信し、この受信された番組が記録される記録手段をさらに備えることを特徴とする請求項１乃至６に記載の放送受信装置。
【請求項８】
前記番組予約手段で受信が設定された番組を受信し、この受信された番組が表示される表示手段をさらに備えることを特徴とする請求項１乃至７に記載の放送受信装置。
【請求項９】
前記放送受信手段はタイマーに接続された制御手段に制御されることを特徴とする請求項１乃至８に記載の放送受信装置。
【請求項１０】
所定の放送番組の受信が予約設定されるステップと、
所定のダウンロードデータを取得するための放送受信が予約設定されるステップと、
前記設定された番組予約と前記設定されたデータダウンロード予約の重複を検出するステップと、
番組予約とデータダウンロード予約の重複が検出された場合は前記設定されたデータダウンロード予約を前記番組予約との重複を避けた放送を受信するように再設定して予約するステップと、
前記予約された放送を受信するステップと、
前記受信された放送からダウンロードデータを抽出するステップとを備えることを特徴とする放送受信方法。
【請求項１１】
所定の放送番組の受信が予約設定されるステップと、
所定のダウンロードデータを取得するための放送受信が予約設定されるステップと、
前記設定された番組予約と前記設定されたデータダウンロード予約のトランスポートストリームの重複を検出するステップと、
番組予約とデータダウンロード予約のトランスポートストリームの重複が検出された場合は前記設定されたデータダウンロード予約を前記番組予約とは異なる時刻に放送される放送を受信するように再設定して予約するステップと、
前記予約された放送を受信するステップと、
前記受信された放送からダウンロードデータを抽出するステップとを備えることを特徴とする放送受信方法。
【請求項１２】
所定の放送番組の受信が予約設定されるステップと、
所定のダウンロードデータを取得するための放送受信が予約設定されるステップと、
前記設定された番組予約と前記設定されたデータダウンロード予約のトランスポートストリームの重複を検出するステップと、
番組予約とデータダウンロード予約のトランスポートストリームの重複が検出された場合は前記設定されたデータダウンロード予約を前記番組予約とは異なるトランスポートストリームで送信される放送を受信するように再設定して予約するステップと、
前記予約された放送を受信するステップと、
前記受信された放送からダウンロードデータを抽出するステップとを備えることを特徴とする放送受信方法。
【請求項１３】
所定の放送番組の受信が予約設定されるステップと、
所定のダウンロードデータを取得するための放送受信が予約設定されるステップと、
前記設定された番組予約と前記設定されたデータダウンロード予約のトランスポートストリームの重複を検出するステップと、
番組予約とデータダウンロード予約のトランスポートストリームの重複が検出された場合は前記設定されたデータダウンロード予約を前記番組予約とは異なる放送形態で放送される放送を受信するように再設定して予約するステップと、
前記予約された放送を受信するステップと、
前記受信された放送からダウンロードデータを抽出するステップとを備えることを特徴とする放送受信方法。
【発明の詳細な説明】
【０００１】
【発明の属する技術分野】
この発明は放送を受信する放送受信装置に関し、特に受信した放送からダウンロードデータを取得する放送受信装置に関する。
【０００２】
【従来の技術】
従来の受信した放送からダウンロードデータを取得する技術は、ダウンロードに失敗した場合に、メッセージを出力したり、送信装置にダウンロードが失敗したことを通知するようにしている。（例えば特許文献１）。
【０００３】
また、従来の受信した放送からダウンロードデータを取得する技術は、番組予約表を参照し、現在の日時から最も近く、かつ、番組予約表に他の番組の録画およびダウンロード予約が入っていない時間に放送されるソフトウェア番組を、ソフトウェアをダウンロードする番組として決定するようにしている。（例えば特許文献２）。
【０００４】
【特許文献１】
特開平１１−１９４９４３号公報（第４−１６頁、図１、図１２）
【特許文献２】
特開平１１−９８４７７号公報（第５頁、１３頁、図２８）
【０００５】
【発明が解決しようとする課題】
上記特許文献１および特許文献２の技術は、番組予約のトランスポートストリームとダウンロード予約のトランスポートストリームが重複した場合には、ダウンロード予約をすることはできなかった。
【０００６】
【課題を解決するための手段】
この発明に係る放送受信装置は、所定の放送番組の受信が予約設定される番組予約手段と、所定のダウンロードデータを取得するための放送受信が予約設定されるデータダウンロード予約手段と、前記番組予約手段で設定された番組予約と前記データダウンロード予約手段で設定されたデータダウンロード予約の重複を検出する重複予約検出手段と、前記重複予約検出手段で番組予約とデータダウンロード予約の重複が検出された場合は前記設定されたデータダウンロード予約を前記番組予約との重複を避けた放送を受信するように再設定して予約する再設定予約手段と、前記番組予約手段および前記再設定予約手段で予約された放送を受信する放送受信手段と、前記受信された放送からダウンロードデータを抽出するダウンロードデータ抽出手段とを備えるように構成している。
【０００７】
またこの発明に係る放送受信方法は、所定の放送番組の受信が予約設定されるステップと、所定のダウンロードデータを取得するための放送受信が予約設定されるステップと、前記設定された番組予約と前記設定されたデータダウンロード予約の重複を検出するステップと、番組予約とデータダウンロード予約の重複が検出された場合は前記設定されたデータダウンロード予約を前記番組予約との重複を避けた放送を受信するように再設定して予約するステップと、前記予約された放送を受信するステップと、前記受信された放送からダウンロードデータを抽出するステップとを備えるように構成している。
【０００８】
【発明の実施の形態】
以下、図面を参照して、この発明に係る実施の形態を説明する。
【０００９】
図１は、この発明の実施の形態に係る放送受信装置を説明するブロック図である。
【００１０】
符号１０はデジタル衛星放送で送信された放送を受信するデジタル衛星アンテナ、符号１１はデジタル地上波放送で送信された放送を受信するデジタル地上波アンテナである。符号１２はチューナ、符号１３はデコーダ、符号１４はＣＰＵ、符号１５は不揮発性メモリ（ＮＶＲＡＭ）、符号１６は表示装置（ＣＲＴ）、符号１７は記録装置（ＨＤＤ）、符号１８はタイマー、符号２０は放送受信装置である。
【００１１】
デジタル衛星放送を放送する放送局から送信されたデジタル衛星放送は、デジタル衛星アンテナ１０で受信され、所定の周波数変換が行なわれ、チューナ１２へ送信される。また、同様に、デジタル地上波放送を放送する放送局から送信されたデジタル地上波放送は、デジタル地上波アンテナ１１で受信され、所定の周波数変換が行なわれ、チューナ１２へ送信される。
【００１２】
デジタル衛星放送およびデジタル地上波放送は、複数のトランスポートストリーム（ＴＳ）で構成された形態で送信される。
【００１３】
チューナ１２は、ＣＰＵ１４に制御される。チューナ１２では、デジタル衛星アンテナ１０から送信された複数のトランスポートストリーム（ＴＳ）で構成されたデジタル衛星放送およびデジタル地上波アンテナ１１から送信された複数のトランスポートストリーム（ＴＳ）で構成されたデジタル地上波放送の選局が行なわれる。チューナ１２で選局されたデジタル放送は、デコーダ１３へ送信される。
【００１４】
デコーダ１３は、ＣＰＵ１４に制御される。デコーダ１３では、チューナ１２から送信されたデジタル放送のデコード処理が行なわれる。一般的に、デジタル放送はＭＰＥＧエンコード（符号化処理）されて送信される。ここでは、このＭＰＥＧ符号化処理されているデジタル放送をデコード処理する動作が行なわれる。
【００１５】
デジタル放送で送信される放送番組の視聴予約または録画予約の設定は、ユーザが、図示しないリモコンや放送受信装置に備え付けられた操作ボタン等を操作し、これら操作ボタンの指示がＣＰＵ１４によって、ＣＰＵ１４に設けられたメモリ（図示せず）へ記憶されることで行なわれる。
【００１６】
ＣＰＵ１４は適宜タイマー１８から時間情報を取得し、設定された予約に基づいてチューナ１２およびデコーダ１３を動作させ、チューナ１２で所定のトランスポンダー（ＴＳ）で送信される放送番組を選局し、デコーダ１３でデコード処理を行なう。
【００１７】
デコーダ１３でデコード処理された放送番組は、放送受信装置２０に視聴予約が設定されている場合は表示装置（ＣＲＴ）１６へ入力されて表示される。また、録画予約が設定されている場合は記録装置（ＨＤＤ）１７へ入力されて記録される。
【００１８】
デジタル放送では、放送受信装置２０等で使用されるソフトウェア（プログラム）やデータの更新（または修正）を行なうために、放送によって更新するためのデータが送信されるものがある。例えば、現在、放送受信装置２０で使用されているソフトウェア（プログラム）のバージョンアップを行なう場合は、放送によって新しいバージョンのプログラムが送信され、放送受信装置２０がこの新しいバージョンのプログラムを受信し、プログラムの更新を行なう。
【００１９】
以下、これらのバージョンアップや更新等のために放送によって送信される新しいデータをダウンロードデータ、放送からデータやプログラムを取得することをダウンロードと称する。
【００２０】
例えば、ダウンロードデータは、トランスポートストリーム（ＴＳ）毎に独立して送信することができる。
【００２１】
番組予約と同様に、ダウンロード予約の設定もユーザが行なうことができる。ダウンロード予約も、図示しないリモコンや放送受信装置に備え付けられた操作ボタン等をユーザが操作し、これら操作ボタンの指示がＣＰＵ１４に設けられたメモリへ記憶されることで行なわれる。
【００２２】
上記と同様に、ＣＰＵ１４は適宜タイマー１８から時間情報を取得し、設定された予約に基づいてチューナ１２およびデコーダ１３を動作させ、チューナ１２で所定のトランスポンダー（ＴＳ）で送信されるダウンロードデータが送信される放送を選局し、デコーダ１３でデコード処理を行なう。
【００２３】
デコーダ１３でデコード処理されたダウンロードデータは、不揮発性メモリ（ＮＶＲＡＭ）１５へ入力されて記憶される。
【００２４】
図２は、この発明の、第１の実施の形態に係るダウンロードデータの受信と番組予約のようすを説明する図である。
【００２５】
ここでは、ダウンロードデータは、トランスポートストリーム（ＴＳ▲１▼）によって、図に示すタイミングで、ダウンロードデータ１、ダウンロードデータ２、ダウンロードデータ３のように、周期的に送信されている。
【００２６】
このとき、トランスポートストリーム（ＴＳ▲１▼）で放送される番組の番組予約（図示）が行なわれると、ダウンロードデータ１と同一のトランスポートストリームであり、番組予約とダウンロード予約が重複してしまう。ＣＰＵ１４は、この番組予約とダウンロード予約の重複を検出し、ダウンロード予約を番組予約とは重複しないように再予約設定し、図示しないメモリへ記憶する。
【００２７】
データダウンロードは、この再設定された予約によって取得される。
【００２８】
図３は、この発明の、第１の実施の形態に係るダウンロード再設定予約を確認する確認画面の表示例である。この表示は、例えば表示装置（ＣＲＴ）１６に表示される。
【００２９】
図３（ａ）は、番組予約とダウンロード予約の重複を通知する例を示す図である。
【００３０】
ここでは、表示装置（ＣＲＴ）１６へ“番組予約とデータダウンロード予約が重複しています。”と表示される。
【００３１】
続いて、上記ＣＰＵ１４の処理、すなわち番組予約とダウンロード予約の重複を検出し、ダウンロード予約を番組予約とは重複しないように再予約設定するか否かの質問が表示される。ここでは、表示は“データダウンロード予約を更新しますか？”である。
【００３２】
図示しないリモコン等で、ユーザがＹｅｓを選択すると、上記ＣＰＵ１４の処理が実行される。ユーザがＮｏを選択すると、上記ＣＰＵ１４の処理は実行されない。
【００３３】
図３（ｂ）は、データダウンロード予約が変更された結果を通知する例を示す図である。
【００３４】
データダウンロード予約は、番組予約との重複を避けた放送を受信するように再設定して予約され、表示装置（ＣＲＴ）１６へ“データダウンロード予約は○○（○○は再設定された受信予約）へ変更されました。”と表示される。
【００３５】
図４は、この発明の、第１の実施の形態に係るデータダウンロードの再予約を説明するフローチャートである。
【００３６】
符号１０１はここでの開始ステップである。続いて符号１０２を付したステップへ進む。
【００３７】
符号１０２はユーザによって番組予約が設定されるステップである。続いて符号１０３を付したステップへ進む。
【００３８】
符号１０３はユーザによって設定された番組予約の番組が送信されるトタンスポートストリーム（ＴＳ）とダウンロード予約が設定されているトタンスポートストリーム（ＴＳ）が同一である場合に、番組予約の時刻とデータダウンロード予約の時刻が重複しているかを判断するステップである。番組予約の時刻とデータダウンロード予約の時刻が重複していると判断された場合は、符号１０４を付したステップへ進む（Ｙｅｓ）。番組予約の時刻とデータダウンロード予約の時刻が重複していないと判断された場合は、符号１０８を付したステップへ進む（Ｎｏ）。
【００３９】
符号１０４はＣＰＵ１４の指示により、トタンスポートストリーム（ＴＳ）で送信されるデータダウンロードスケジュールを取得し、この取得したデータダウンロードスケジュールから次に送信されるダウンロードデータの送信スケジュール情報を取得するステップである。続いて符号１０５を付したステップへ進む。
【００４０】
符号１０５は次に送信されるダウンロードデータを予約すること、すなわち、データダウンロードの再予約、は可能かを判断するステップである。例えば、図２に示す、ダウンロード１とダウンロード２は番組予約と重複するのでデータダウンロードの再予約は不可であるが、ダウンロード３をデータダウンロードの再予約に設定することは可能である。データダウンロードの再予約が可能な場合は符号１０６を付したステップへ進む（Ｙｅｓ）。データダウンロードの再予約が不可の場合は符号１０４を付したステップへ進み、上記処理が繰り返される（Ｎｏ）。
【００４１】
符号１０６はデータダウンロードの時刻変更を提示するステップである。再予約が可能なデータダウンロードへ時刻変更を行なう旨の時刻変更が、例えば図３（ａ）のように提示される。続いて符合１０７を付したステップへ進む。
【００４２】
符号１０７はデータダウンロードの予約を実行するステップである。図３（ａ）の提示画面でＹｅｓが選択されると、図３（ｂ）の画面が提示され、データダウンロードの予約内容はＣＰＵ１４に設定される。続いて符合１０８を付したステップへ進む。
【００４３】
符号１０８は終了ステップであり、ここでの処理は終了する。
【００４４】
すなわち、この発明の第１の実施の形態は、重複予約検出手段で番組予約とデータダウンロード予約の重複が検出された場合は前記設定されたデータダウンロード予約を番組予約との重複を避けた放送を受信するように再設定して予約する。
【００４５】
また、重複予約検出手段で番組予約とデータダウンロード予約のトランスポートストリームの重複が検出された場合は設定されたデータダウンロード予約を番組予約とは異なる時刻に放送される放送を受信するように再設定して予約することも可能である。
【００４６】
上記説明したように、この発明の、第１の実施の形態によれば、データダウンロード予約と番組予約が重複した場合においても、データダウンロード予約を番組予約とは重複しない放送を受信して、確実に、データダウンロードを行なうことができる。
【００４７】
また、この発明の、第１の実施の形態によれば、データを取得するトランスポンダーを変更することなく確実に、データダウンロードを行なうことができる。
【００４８】
図５は、この発明の、第２の実施の形態に係るダウンロードデータの受信と番組予約のようすを説明する図である。
【００４９】
ここでは、ダウンロードデータは、トランスポートストリーム（ＴＳ▲１▼）によって、図に示すタイミングで、ダウンロードデータ１ａ、ダウンロードデータ２ａ、ダウンロードデータ３ａのように、周期的に送信されている。
【００５０】
また、図に示すように上記とは異なるタイミングで、ダウンロードデータは、トランスポートストリーム（ＴＳ▲２▼）によって、ダウンロードデータ１ｂ、ダウンロードデータ２ｂのように、周期的に送信されている。
【００５１】
このとき、トランスポートストリーム（ＴＳ▲１▼）で放送される番組の番組予約（図示）が行なわれると、ダウンロードデータ１ａと同一のトランスポートストリームであり、番組予約とダウンロード予約が重複してしまう。ＣＰＵ１４は、この番組予約とダウンロード予約の重複を検出し、ダウンロード予約を番組予約とは重複しないように、データを取得するトランスポートストリームをトランスポートストリーム（ＴＳ▲２▼）に変更し、トランスポートストリーム（ＴＳ▲２▼）からデータダウンロードを行なうように再予約設定し、図示しないメモリへ記憶する。
【００５２】
データダウンロードは、この再設定された予約によってトランスポートストリーム（ＴＳ▲２▼）から取得される。
【００５３】
図６は、この発明の、第２の実施の形態に係るデータダウンロードの再予約を説明するフローチャートである。
【００５４】
符号２０１はここでの開始ステップである。続いて符号２０２を付したステップへ進む。
【００５５】
符号２０２はユーザによって番組予約が設定されるステップである。続いて符号２０３を付したステップへ進む。
【００５６】
符号２０３はユーザによって設定された番組予約の番組が送信されるトタンスポートストリーム（ＴＳ）とダウンロード予約が設定されているトタンスポートストリーム（ＴＳ）が同一である場合に、番組予約の時刻とデータダウンロード予約の時刻が重複しているかを判断するステップである。番組予約の時刻とデータダウンロード予約の時刻が重複していると判断された場合は、符号２０４を付したステップへ進む（Ｙｅｓ）。番組予約の時刻とデータダウンロード予約の時刻が重複していないと判断された場合は、符号２０８を付したステップへ進む（Ｎｏ）。
【００５７】
符号２０４はＣＰＵ１４の指示により、複数のトタンスポートストリーム（ＴＳ）を検索して、現在時刻に最も近い、異なるトタンスポートストリーム（ＴＳ）で送信されるデータダウンロードスケジュールを取得するステップである。
続いて符号２０５を付したステップへ進む。
【００５８】
符号２０５は番組予約が行なわれたトタンスポートストリーム（ＴＳ）とは異なるトタンスポートストリーム（ＴＳ）で送信されるダウンロードデータ取得を予約すること、すなわち、データダウンロードの再予約は可能かを判断するステップである。例えば、図５に示す、トタンスポートストリーム（ＴＳ▲１▼）のダウンロード１ａとダウンロード２ａは番組予約と重複するので、データを取得するトタンスポートストリームを切替え、トタンスポートストリーム（ＴＳ▲２▼）からデータダウンロードを行なうように再予約は可能かを判断する。データダウンロードの再予約が可能な場合は符号２０６を付したステップへ進む（Ｙｅｓ）。データダウンロードの再予約が不可の場合は符号２０４を付したステップへ進み、上記処理が繰り返される（Ｎｏ）。
【００５９】
符号２０６はデータダウンロードのトタンスポートストリーム（ＴＳ）変更を提示するステップである。再予約が可能なデータダウンロードへトタンスポートストリーム（ＴＳ）変更を行なう旨が上記のように提示される（図示なし）。続いて符合２０７を付したステップへ進む。
【００６０】
符号２０７はデータダウンロードの予約を実行するステップである。続いて符合２０８を付したステップへ進む。
【００６１】
符号２０８は終了ステップであり、ここでの処理は終了する。
【００６２】
すなわち、この発明の、第２の実施の形態は、重複予約検出手段で番組予約とデータダウンロード予約のトランスポートストリームの重複が検出された場合は設定されたデータダウンロード予約を番組予約とは異なるトランスポートストリームで送信される放送を受信するように再設定して予約する
上記説明したように、この発明の、第２の実施の形態によれば、データダウンロード予約と番組予約が重複した場合においても、データダウンロード予約を番組予約とは重複しない放送を受信して、確実に、データダウンロードを行なうことができる。
【００６３】
また、この発明の、第２の実施の形態によれば、データを取得するトランスポンダーを変更するので、確実に、データダウンロードを行なうことができる。
【００６４】
図７は、この発明の、第３の実施の形態に係るダウンロードデータの受信と番組予約のようすを説明する図である。
【００６５】
ここでは、ダウンロードデータは、衛星デジタル放送のトランスポートストリーム（衛星デジタル）によって、図に示すタイミングで、ダウンロードデータ１ａ、ダウンロードデータ２ａ、ダウンロードデータ３ａのように、周期的に送信されている。
【００６６】
また、図に示すように上記とは異なるタイミングで、ダウンロードデータは、地上波デジタル放送のトランスポートストリーム（地上波デジタル）によって、ダウンロードデータ１ｂ、ダウンロードデータ２ｂのように、周期的に送信されている。
【００６７】
このとき、トランスポートストリーム（衛星デジタル）で放送される番組の番組予約が行なわれると、ダウンロードデータ１ａと同一のトランスポートストリームであり、番組予約とダウンロード予約が重複してしまう。ＣＰＵ１４は、この番組予約とダウンロード予約の重複を検出し、ダウンロード予約を番組予約とは重複しないように、データを取得する放送を変更し、トランスポートストリームをトランスポートストリーム（地上波デジタル）に変更し、トランスポートストリーム（地上波デジタル）からデータダウンロードを行なうように再予約設定し、図示しないメモリへ記憶する。
【００６８】
データダウンロードは、この再設定された予約によってデータを取得する放送が切替えられ、トランスポートストリーム（地上波デジタル）から取得される。
【００６９】
図８は、この発明の、第３の実施の形態に係るデータダウンロードの再予約を説明するフローチャートである。
【００７０】
符号３０１はここでの開始ステップである。続いて符号３０２を付したステップへ進む。
【００７１】
符号３０２はユーザによって番組予約が設定されるステップである。続いて符号３０３を付したステップへ進む。
【００７２】
符号３０３はユーザによって設定された番組予約の番組が送信される放送のトタンスポートストリーム（衛星デジタル）とダウンロード予約が設定されているトタンスポートストリーム（衛星デジタル）が同一である場合に、番組予約された放送のトタンスポートストリーム（衛星デジタル）とデータダウンロード予約された放送のトタンスポートストリーム（衛星デジタル）が重複しているかを判断するステップである。番組予約の放送のトタンスポートストリーム（衛星デジタル）とデータダウンロード予約の放送のトタンスポートストリーム（衛星デジタル）が重複していると判断された場合は、符号３０４を付したステップへ進む（Ｙｅｓ）。番組予約の放送のトタンスポートストリーム（衛星デジタル）とデータダウンロード予約の放送のトタンスポートストリーム（衛星デジタル）が重複していないと判断された場合は、符号３０７を付したステップへ進む（Ｎｏ）。
【００７３】
符号３０４はＣＰＵ１４の指示により、形態の異なる複数の放送（地上波や衛星等）を検索して、現在時刻に最も近いダウンロードデータスケジュールを取得するステップである。続いて符号３０５を付したステップへ進む。
【００７４】
符号３０５は番組予約が行なわれた放送のトタンスポートストリーム（衛星デジタル）とは異なる放送のトタンスポートストリーム（地上波デジタル）で送信されるダウンロードデータ取得を予約すること、すなわち、データダウンロードの再予約を提示するステップである。例えば、図７に示す、トタンスポートストリーム（衛星デジタル）のダウンロード１ａとダウンロード２ａは番組予約と重複するので、データを取得する放送を切替え、トタンスポートストリーム（地上波デジタル）からデータダウンロードを行なうように提示する。続いて符合３０６を付したステップへ進む。
【００７５】
符号３０６はデータを取得する放送を変更し、予約を行なうステップである。続いて符合３０７を付したステップへ進む。
【００７６】
符号３０７は終了ステップであり、ここでの処理は終了する。
【００７７】
すなわち、この発明の、第３の実施の形態は、重複予約検出手段で番組予約とデータダウンロード予約のトランスポートストリームの重複が検出された場合は設定されたデータダウンロード予約を番組予約とは異なる放送形態で放送される放送を受信するように再設定して予約する。
【００７８】
上記説明したように、この発明の、第３の、実施の形態によれば、データダウンロード予約と番組予約が重複した場合においても、データダウンロード予約を番組予約とは重複しない放送を受信して、確実に、データダウンロードを行なうことができる。
【００７９】
また、この発明の、第３の実施の形態によれば、データを取得する放送の形態を変更するので、確実に、データダウンロードを行なうことができる。
【００８０】
【発明の効果】
上記説明したように、この発明の実施の形態によれば、データダウンロード予約と番組予約が重複した場合においても、データダウンロード予約を番組予約とは重複しない放送を受信して、確実に、データダウンロードを行なうことができる。
【図面の簡単な説明】
【図１】この発明の実施の形態に係る放送受信装置を説明するブロック図。
【図２】この発明の、第１の実施の形態に係るダウンロードデータの受信と番組予約のようすを説明する図。
【図３】この発明の、第１の実施の形態に係るダウンロード再設定予約を確認する確認画面の表示例を示す図。
【図４】この発明の、第１の実施の形態に係るデータダウンロードの再予約を説明するフローチャート。
【図５】この発明の、第２の実施の形態に係るダウンロードデータの受信と番組予約のようすを説明する図。
【図６】この発明の、第２の実施の形態に係るデータダウンロードの再予約を説明するフローチャート。
【図７】この発明の、第３の実施の形態に係るダウンロードデータの受信と番組予約のようすを説明する図。
【図８】この発明の、第３の実施の形態に係るデータダウンロードの再予約を説明するフローチャート。
【符号の説明】
１０  …  デジタル衛星アンテナ
１１  …  デジタル地上波アンテナ
１２  …  チューナ
１３  …  デコーダ
１４  …  ＣＰＵ
１５  …  不揮発性メモリ（ＮＶＲＡＭ）
１６  …  表示装置（ＣＲＴ）
１７  …  記録装置（ＨＤＤ）
１８  …  タイマー
２０  …  放送受信装置
【図１】
2004187030.tif 000003
【図２】
2004187030.tif 000004
【図３】
2004187030.tif 000005
【図４】
2004187030.tif 000006
【図５】
2004187030.tif 000007
【図６】
2004187030.tif 000008
【図７】
2004187030.tif 000009
【図８】
2004187030.tif 000010